(57)【要約】      （修正有）【課題】夜間や停電時の経路案内機能を、蓄光顔料の使用量を押さえて廉価に実現する視覚障害者の歩行誘導マットを提供する。【解決手段】ゴムマット1は、他のゴムマット１、３との連結手段５を備えており、連結手段５は、対向する２つの端部の両方又は一方に設けられている。ゴムマット１は、平坦面１１を有する本体部分１３と、連結手段５がない端部へと厚さが減少するように本体部分１３から延出する傾斜部分１５，１７とを備えており、本体部分１３には、散点したゴムチップ６１，６３，６５が、平坦面１１にて露出するように埋設されている。ゴムチップ６１，６３，６５には、蓄光顔料を含有するゴムチップ６１と、蓄光顔料を含有しないゴムチップ６３，６５とが含まれており、ゴムチップ６１，６３，６５の色は、本体部分１３を形成するゴムの色と異なっている。【選択図】図２
0003182832.tif 000002
【実用新案登録請求の範囲】
【請求項１】
視覚障害者の歩行を誘導するために施設の床面に敷設される略矩形のゴムマットであって、
他のゴムマットとの連結手段を備えており、
前記連結手段は、対向する２つの端部の両方又は一方に設けられており、
前記床面と平行に上向きに配置される平坦面を有する本体部分と、前記連結手段が設けられていない端部へと厚さが徐々に減少するように前記本体部分から延出する傾斜部分とを備えており、
前記本体部分には、散点した複数のゴムチップが、前記平坦面にて外部に露出するように埋設されており、
前記複数のゴムチップには、蓄光顔料を含有する複数の第１ゴムチップと、蓄光顔料を含有しない複数の第２ゴムチップとが含まれており、前記複数のゴムチップの色は、前記本体部分を形成するゴムの色と異なっているゴムマット。
【請求項２】
前記複数の第１ゴムチップと、前記複数の第２ゴムチップとは、前記平坦面を部分的に構成するように前記本体部分に埋設されている、請求項１に記載のゴムマット。
【請求項３】
前記複数の第１ゴムチップの色と、前記複数の第２ゴムチップの色とは異なる、請求項１又は請求項２に記載のゴムマット。
【請求項４】
前記複数の第２ゴムチップは、互いに色が異なる複数種類のゴムチップを含む、請求項３に記載のゴムマット。
【考案の詳細な説明】
【技術分野】
【０００１】
本考案は、視覚障害者の歩行を誘導するために公共施設の通路等に敷設される歩行誘導用ゴムマットに関する。
【背景技術】
【０００２】
点字ブロックや点字タイルは、視覚障害者の歩行を補助又は誘導する手段として、駅や病院などの公共施設にて広く使用されているが、近年、これらに代わるものとして、特開２００５−０９８０２１号公報に開示されている歩行誘導用マットも使用されている(特許文献１)。
【０００３】
特開２００５−０９８０２１号公報に開示されている歩行誘導用マットは、駅や病院等の施設の通路に歩行経路に沿って並べて敷設される。歩行誘導用マットは、ゴムや合成樹脂などの弾性材料で形成されており、当該マットを杖で叩いた際の音が床と異なることで、或いは、当該マット上を歩いた際に足裏に伝わる感触が床と異なることで、視覚障害者は敷設された一連のマットに沿って誘導される。開示されている歩行誘導用マットは、並べて或いは連結させて床に置くだけで敷設できるので、床の加工を必要とする点字ブロックや点字タイルと比較して極めて容易に既存の施設に敷設できる。また、この歩行誘導用マットは、敷設時に床との間で段差が生じない構造になっており、車イスやベビーカーなどの通行の妨げとならないという特徴も有している。
【０００４】
一方、夜間や停電時に人を案内又は誘導するための蓄光顔料入りの床マットやシートが従来より各種提案されている。例えば、特開２００４−１６３６２１号公報に開示されているような蓄光顔料入りの床面付着シートは、蓄光顔料を含む塗料が印刷された発光表示面を有する基材シートと、当該発光表示面上に設けられる透光性シートと、当該透光性シートに形成された通常表示面と、当該通常表示面上に設けられる保護シートとを備えている。発光表示面は、誘導用の矢印を表すように形成されており、周囲が暗くなると、蓄光顔料に吸収されていたエネルギーが可視光として放射されて、矢印が明るくひかる。
【先行技術文献】
【特許文献】
【０００５】
【特許文献１】特開２００５−０９８０２１号公報
【特許文献２】特開２００４−１６３６２１号公報
【考案の概要】
【考案が解決しようとする課題】
【０００６】
同じ施設内にて、視覚障害者の歩行誘導用に上記のような歩行誘導用マットを通路に敷設し、さらには、夜間や停電時の案内用に蓄光顔料入りのシートやマットも通路に敷設することは明らかに無駄であって、スペース的に困難である場合も多い。故に、歩行誘導用マットの材料に蓄光顔料を含有させることで、歩行誘導用マットに夜間や停電時の経路案内機能を持たせることが考えられる。
【０００７】
しかしながら、蓄光顔料は高価であって、歩行誘導用マットの材料に蓄光顔料を均一に含有させることは、歩行誘導用マットの裏面は発光する必要がない点で無駄が多く、製造コストを無駄に著しく上昇させる。歩行誘導用マットの上面に、蓄光顔料を含む蓄光シートと、さらには保護シートとを貼り付けることが考えられるが、歩行者が頻繁に往来すると、保護シートが剥がれてしまい、さらには、蓄光シートが損傷する又は剥がれる恐れがある。
【０００８】
例えば、蓄光顔料入りのゴム板を歩行誘導用マットの上面に埋めることも考えられるが、製造コストの観点からすると、蓄光顔料の使用は、夜間や停電時の案内機能が十分に達成できる程度に留められることが望ましいであろう。また、蓄光顔料入りのゴム板を例えば矢印状に形成して歩行誘導用マットの上面に埋めると、通常時に不必要に矢印が視認される点で好ましくない。
【０００９】
本考案は、上記の問題を解決するものであり、視覚障害者の歩行誘導用マットにおいて、夜間や停電時の経路案内機能を、蓄光顔料の使用量を押さえて廉価に実現することを目的とする。
【課題を解決するための手段】
【００１０】
本考案のゴムマットは、視覚障害者の歩行を誘導するために施設の床面に敷設される略矩形のゴムマットであって、他のゴムマットとの連結手段を備えており、前記連結手段は、対向する２つの端部の両方又は一方に設けられており、前記床面と平行に上向きに配置される平坦面を有する本体部分と、前記連結手段が設けられていない端部へと厚さが徐々に減少するように前記本体部分から延出する傾斜部分とを備えており、前記本体部分には、散点した複数のゴムチップが、前記平坦面にて外部に露出するように埋設されており、前記複数のゴムチップには、蓄光顔料を含有する複数の第１ゴムチップと、蓄光顔料を含有しない複数の第２ゴムチップとが含まれており、前記複数のゴムチップの色は、前記本体部分を形成するゴムの色と異なっている。
【００１１】
本考案のゴムマットでは、前記複数の第１ゴムチップと、前記複数の第２ゴムチップとは、前記平坦面を部分的に構成するように前記本体部分に埋設されてよい。
【００１２】
本考案のゴムマットでは、前記複数の第１ゴムチップの色と、前記複数の第２ゴムチップの色とは異なってよい。さらに、前記複数の第２ゴムチップは、互いに色が異なる複数種類のゴムチップを含んでよい。
【考案の効果】
【００１３】
本考案では、蓄光顔料を含有するゴムチップを本体部分に埋設することで、夜間や停電時の経路案内機能が、蓄光顔料を大量に使用することなく視覚障害者の歩行誘導用ゴムマットに与えられる。さらに、蓄光顔料を含有しない複数の第２ゴムチップも同様に本体部分に埋設されるので、歩行誘導用ゴムマットを昼間や照明点灯時において意匠面で特徴づけることができる。また、本考案では、ゴムチップが本体部分に埋設されているので、歩行誘導用ゴムマットが長期間使用されても、歩行者の往来などに起因してゴムチップが剥離することで夜間や停電時の案内機能が低下する事態が起こり難い。
【図面の簡単な説明】
【００１４】
【図１】本考案の実施例である歩行誘導用ゴムマットの組合せを上方から見た斜視図である。
【図２】本考案の実施例である歩行誘導用ゴムマットの組合せを上方から見た分解斜視図である。
【図３】本考案の実施例である歩行誘導用ゴムマットを下方から見た斜視図である。
【図４】図２に示すＡ−Ａ線を含む平面で破断して矢視した本考案の実施例である歩行誘導用ゴムマットの部分断面図である。
【図５】本考案の実施例である歩行誘導用ゴムマットの製造工程を模式的に示す説明図である。
【考案を実施するための形態】
【００１５】
以下、本考案について、図を用いて詳細に説明する。図１は、本考案の実施例である歩行誘導用ゴムマットの組合せを示す斜視図である。歩行誘導用ゴムマットの組合せは、視覚障害者の歩行を誘導するために、駅や病院などの施設の床面に図１に示すように一列に連結されて敷設される。
【００１６】
歩行誘導用ゴムマットの組合せは、略矩形の第１歩行誘導用ゴムマット(1)と、略矩形の第２歩行誘導用ゴムマット(3)とを含んでいる。第１歩行誘導用ゴムマット(1)は、歩行経路に沿って他の第１歩行誘導用ゴムマット(1)と連結されて配置される。図１では、２枚の第１歩行誘導用ゴムマット(1)のみが図示されているが、案内する歩行経路に応じて任意の枚数の第１歩行誘導用ゴムマット(1)が連結される。
【００１７】
第２歩行誘導用ゴムマット(3)は、一列に連結された歩行誘導用ゴムマットの各端に配置される。図１では、１枚の第２歩行誘導用ゴムマット(3)のみが図示されているが、連結された複数の第１歩行誘導用ゴムマット(1)において両端に位置する第１歩行誘導用ゴムマット(1)の各々に、第２歩行誘導用ゴムマット(3)が連結される。交差する歩行経路や曲がった歩行経路を誘導する場合には、歩行経路を複数の直線経路に分解して、各直線経路に複数枚の第１歩行誘導用ゴムマット(1)と２枚の第２歩行誘導用ゴムマット(3)からなる組合せが使用される。
【００１８】
図２に、図１に示した歩行誘導用ゴムマットの組合せが分離している模様を示す。第１歩行誘導用ゴムマット(1)には、他の第１歩行誘導用ゴムマット(1)又は第２歩行誘導用ゴムマット(3)と連結する連結手段(5)が設けられている。連結手段(5)は、第１歩行誘導用ゴムマット(1)の対向する２つの端部、より具体的には、長手方向に離間した両端部に設けられている。本実施例では、これら端部には連結手段(5)として、他の第１歩行誘導用ゴムマット(1)の端部(或いは、第２歩行誘導用ゴムマット(3)の連結手段(5)が設けられた端部)と係合又は嵌合するように凹凸が形成されている。
【００１９】
第２歩行誘導用ゴムマット(3)にも、第１歩行誘導用ゴムマット(1)と連結するための連結手段(5)が設けられている。連結手段(5)は、長手方向に離間した対向する２つの端部の一方に設けられており、実施例では、連結手段(5)として、第１歩行誘導用ゴムマット(1)の端部と係合又は嵌合するように凹凸が形成されている。
【００２０】
図３は、第１歩行誘導用ゴムマット(1)を下方から見た斜視図であり、図４は、図２に示すＡ−Ａ線を含む平面で破断して矢視した第１歩行誘導用ゴムマット(1)の部分断面図である(複数のゴムチップ(61)(63)(65)は、図２よりも多く図示されている)。第１歩行誘導用ゴムマット(1)は、敷設時に床面と平行に上向きに配置される矩形の平坦面(11)を有する本体部分(13)と、連結手段(5)が設けられていない端部、つまり短手方向に離間した端部に向かって厚さが徐々に減少するように本体部分(13)から延出する傾斜部分(15)(17)とを備えている。傾斜部分(15)(17)の上側にある傾斜面は、床面に対して傾斜しており、第１歩行誘導用ゴムマット(1)の敷設時に、傾斜部分(15)(17)と床面との間に段差が生じないように(又は段差が僅かなように)されている。
【００２１】
第２歩行誘導用ゴムマット(3)は、敷設時に床面と平行に上向きに配置される矩形の平坦面(31)を有する本体部分(33)と、連結手段(5)が設けられていない端部の何れかへと厚さが徐々に減少するように本体部分(33)から延出する傾斜部分(35)(37)(39)とを備えている。傾斜部分(35)(37)(39)の上側にある傾斜面は、床面に対して傾斜しており、第２歩行誘導用ゴムマット(3)の敷設時に、傾斜部分(35)(37)(39)と床面との間に段差が生じないように(又は段差が僅かなように)されている。
【００２２】
第１歩行誘導用ゴムマット(1)の傾斜部分(15)(17)と、第２歩行誘導用ゴムマット(3)の傾斜部分(35)(37)(39)とは、車椅子の走行に衝撃を感じない程度の２°乃至１５°程度の傾斜角を有するように形成されるのが好ましい。傾斜部分(15)(17)と傾斜部分(35)(37)(39)の傾斜面は必ずしも平坦である必要はなく、例えば、若干湾曲していてもよい。
【００２３】
第１歩行誘導用ゴムマット(1)の本体部分(13)の裏面には、第１歩行誘導用ゴムマット(1)が床面上を滑って移動することを防止するための滑止め加工が施されている。本実施例では、第１歩行誘導用ゴムマット(1)の裏面は、その周縁部を除いて凹凸面になっている。凹凸面を形成する各凸部(21)は、一様な厚さの基部(23)から突出しており、各凸部(21)の先端は、球面状に形成されている。図示は省略するが、第２歩行誘導用ゴムマット(3)の本体部分(33)の裏面にも、第１歩行誘導用ゴムマット(1)と同様な滑止め加工が施されている。
【００２４】
第１歩行誘導用ゴムマット(1)と第２歩行誘導用ゴムマット(3)の幅は同じにされる。第１歩行誘導用ゴムマット(1)の本体部分(13)と第２歩行誘導用ゴムマット(3)の本体部分(33)の幅、つまり、本体部分(13)の平坦面(11)と本体部分(33)の平坦面(31)の幅も同じにされる。本体部分(13)の厚さと本体部分(33)の厚さも同じにされる。また、第１歩行誘導用ゴムマット(1)の傾斜部分(15)(17)と第２歩行誘導用ゴムマット(3)の傾斜部分(35)(37)の幅と傾斜角も同じにされる。第２歩行誘導用ゴムマット(3)の傾斜部分(39)の(第２歩行誘導用ゴムマット(3)の長手方向に沿った)幅と傾斜角は、第２歩行誘導用ゴムマット(3)の傾斜部分(35)(37)の幅と傾斜角と同じにされるのが好ましい。
【００２５】
第１歩行誘導用ゴムマット(1)の本体部分(13)には、散点した複数のゴムチップ(61)(63)(65)が、平坦面(11)にて外部に露出するように埋設されている。第２歩行誘導用ゴムマット(3)の本体部分(33)にも、複数のゴムチップ(61)(63)(65)が同様に埋設されている。複数のゴムチップ(61)(63)(65)の色は、第１歩行誘導用ゴムマット(1)の本体部分(13)(及び傾斜部分(15)(17))を形成するゴムの色と異なっており、第２歩行誘導用ゴムマット(3)の本体部分(33)(及び傾斜部分(35)(37)(39))を形成するゴムの色と異なっている。
【００２６】
複数のゴムチップ(61)(63)(65)には、蓄光顔料を含有する複数の第１ゴムチップ(61)と、蓄光顔料を含有しない複数の第２ゴムチップ(63)(65)とが含まれている。複数のゴムチップ(61)(63)(65)の大きさは、第１歩行誘導用ゴムマット(1)と第２歩行誘導用ゴムマット(3)の寸法にも依存し得るが、約２〜１０ｍｍ程度にされるのが好ましい。
【００２７】
複数のゴムチップ(61)(63)(65)には、例えば、ゴム板を破砕することで作製された略矩形の小さな片が使用される。第１歩行誘導用ゴムマット(1)では、複数のゴムチップ(61)(63)(65)は、第１歩行誘導用ゴムマット(1)の本体部分(13)の平坦面(11)を部分的に構成するように埋設されている。また、第２歩行誘導用ゴムマット(3)では、複数のゴムチップ(61)(63)(65)は、第２歩行誘導用ゴムマット(3)の本体部分(33)の平坦面(31)を部分的に構成するように本体部分(33)に埋設されている。このように、第１歩行誘導用ゴムマット(1)と第２歩行誘導用ゴムマット(3)では、複数のゴムチップ(61)(63)(65)に起因した凹凸が生じないようにされている。
【００２８】
第１歩行誘導用ゴムマット(1)の傾斜部分(15)(17)と、第２歩行誘導用ゴムマット(3)の傾斜部分(35)(37)(39)とには、ゴムチップ(61)(63)(65)は埋設されないことが好ましい。第１歩行誘導用ゴムマット(1)と第２歩行誘導用ゴムマット(3)の製造方法については後述するが、これら傾斜部分(15)(17)と傾斜部分(35)(37)(39)にゴムチップ(61)(63)(65)を埋設させると、傾斜部分(15)(17)と傾斜部分(35)(37)(39)が薄い領域では、ゴムチップ(61)(63)(65)が傾斜面から突出し、或いは、傾斜部分(15)(17)又は傾斜部分(35)(37)(39)から剥がれる恐れがあることがその理由である。しかしながら、傾斜部分(15)(17)と傾斜部分(35)(37)(39)であっても、本体部分(13)や本体部分(33)に近い領域であれば、ゴムチップ(61)(63)(65)が埋設されてもよい。
【００２９】
第１歩行誘導用ゴムマット(1)の本体部分(13)及び傾斜部分(15)(17)は、天然ゴム又は合成ゴムで形成される。合成ゴムとしては、アクリルゴム、ニトリルゴム、イソプレンゴム、ウレタンゴム、エチレンプロピレンゴム、クロロスルホン化ポリエチレン、クロロプレンゴム、シリコーンゴム、スチレン・ブタジエンゴム、ブタジエンゴム、フッ素ゴムやブチルゴムなどがある。第２歩行誘導用ゴムマット(3)の本体部分(33)及び傾斜部分(35)(37)(39)についても同様である。なお、第１歩行誘導用ゴムマット(1)の本体部分(13)及び傾斜部分(15)(17)と、第２歩行誘導用ゴムマット(3)の本体部分(33)及び傾斜部分(35)(37)(39)とは同じゴム材料で形成されるのが好ましい。
【００３０】
第１歩行誘導用ゴムマット(1)の本体部分(13)及び傾斜部分(15)(17)と、第２歩行誘導用ゴムマット(3)の本体部分(13)及び傾斜部分(35)(37)(39)とが、弾性材料である天然ゴム又は合成ゴムで形成されることで(さらには、ゴムチップ(61)(63)(65)も弾性材料である天然ゴム又は合成ゴムで形成されることで)、連結された第１歩行誘導用ゴムマット(1)と第２歩行誘導用ゴムマット(3)の組合せに、視覚障害者の歩行を誘導する機能がもたらされる。歩行誘導用ゴムマット(1)(3)を杖で叩いた際の音が床を叩いた音と異なることで、或いは、歩行誘導用ゴムマット(1)(3)上を歩いた際に足裏に伝わる感触が床を歩いた際に足裏に伝わる感触と異なることで、視覚障害者は、図１に示すように一列に組み合わされて敷設された歩行誘導用ゴムマット(1)(3)に沿って誘導される。
【００３１】
複数のゴムチップ(61)(63)(65)も、つまり、蓄光顔料を含有する複数の第１ゴムチップ(61)と蓄光顔料を含有しない複数の第２ゴムチップ(63)(65)も、天然ゴム又は合成ゴムで形成される(合成ゴムとしては、上記のものが使用可能である)。蓄光顔料は、太陽光や蛍光灯などの光のエネルギーを吸収し、吸収したエネルギーを可視光に変換して継続して放出する機能を有する材料である。蓄光顔料としては、例えば硫化亜鉛系やアルミン酸ストロンチウム系の蓄光顔料が使用されるが、本考案で使用される蓄光顔料は特に限定されない。
【００３２】
蓄光顔料を含有する第１ゴムチップ(61)が、第１歩行誘導用ゴムマット(1)の平坦面(11)と第２歩行誘導用ゴムマット(3)の平坦面(31)とにて外部に露出するように散点して埋設されることで、そして、第１歩行誘導用ゴムマット(1)と第２歩行誘導用ゴムマット(3)の組合せが図１のように一列に連結されて敷設されることで、夜間や停電時であっても、第１ゴムチップ(61)が発光して、光るドットで構成された帯として歩行経路が歩行者に視認可能となる。歩行者は、夜間や停電時であっても、連結された第１歩行誘導用ゴムマット(1)と第２歩行誘導用ゴムマット(3)に沿って、つまり、これら歩行誘導用ゴムマット(1)(3)が案内する歩行経路に沿って容易に移動できる。
【００３３】
蓄光顔料が高価であることから、製造コストの関係上、蓄光顔料を含有する第１ゴムチップ(61)は、夜間や停電時における経路案内機能に必要十分な程度に歩行誘導用ゴムマット(1)(3)に使用又は散点されることが好ましい。しかしながら、そうすることで、第１ゴムチップ(61)は、歩行誘導用ゴムマット(1)(3)の本体部分(13)(33)にかなりまばらに散点することになって、第１ゴムチップ(61)だけを歩行誘導用ゴムマット(1)(3)に埋設させると、歩行誘導用ゴムマット(1)(3)の意匠面で好ましくない事態が起こる。本考案では、第１ゴムチップ(61)に加えて、蓄光顔料を含有しない第２ゴムチップ(63)(65)が使用されているので、夜間や停電時における経路案内機能に必要十分な程度に第１ゴムチップ(61)のみを使用した場合と比較して、歩行誘導用ゴムマット(1)(3)の意匠性が向上している。第１ゴムチップ(61)に加えて、蓄光顔料を含有しない第２ゴムチップ(63)(65)を用いることで、昼間や照明の点灯時に、密に散点した第１ゴムチップ(61)と第２ゴムチップ(63)(65)からなる模様が視認されて、意匠的に好ましい美的印象を歩行者に与えることができる。
【００３４】
意匠性の向上を図るために、第１ゴムチップ(61)の色と、第２ゴムチップ(63)(65)の色とは異なることが好ましい。また、第２ゴムチップ(63)(65)は、互いに色が異なる複数種類のゴムチップを含むことが好ましい。本実施例では、第２ゴムチップ(63)(65)として、第１色を有するゴムチップ(63)と第１色とは異なる第２色を有するゴムチップ(65)とが使用されているが、第２ゴムチップ(63)(65)に含まれる色が異なるゴムチップの種類は、３以上であってもよい。
【００３５】
第１歩行誘導用ゴムマット(1)の本体部分(13)及び傾斜部分(15)(17)の色、第２歩行誘導用ゴムマット(3)の本体部分(33)及び傾斜部分(35)(37)(39)の色、第１ゴムチップ(61)の色、第２ゴムチップ(63)(65)の色の調整は、それらに含められる顔料を選択又は調整することで容易に実現される。例えば、第１歩行誘導用ゴムマット(1)の本体部分(13)及び傾斜部分(15)(17)と、第２歩行誘導用ゴムマット(3)の本体部分(13)及び傾斜部分(35)(37)(39)とは焦げ茶色にされ、第１ゴムチップ(61)は薄い黄色にされる。第２ゴムチップ(63)(65)の一方の種類のゴムチップ(63)は橙色にされ、第２ゴムチップ(63)(65)の他方の種類のゴムチップ(65)は茶色にされる。
【００３６】
図５は、直圧成形法を用いた第１歩行誘導用ゴムマット(1)の製造工程を模式的に示す説明図である。上側金型(71)と下側金型(73)は、プレス時に組み合わされると、第１歩行誘導用ゴムマット(1)の外形に対応したキャビティが形成されるように構成されている。上側金型(71)は、第１歩行誘導用ゴムマット(1)の裏面側に対応しており、下側金型(73)は、第１歩行誘導用ゴムマット(1)の上面側、つまり平坦面(11)側に対応している。
【００３７】
まず、上側金型(71)と下側金型(73)とが離間した状態で、第１歩行誘導用ゴムマット(1)の本体部分(13)の平坦面(11)に対応した下側金型(73)の平面部分に、第１歩行誘導用ゴムマット(1)に埋設される複数のゴムチップ(61)(63)(65)が散布される。複数のゴムチップ(61)(63)(65)は、当該平面部分の縁付近の領域を除いてほぼ均一に散布されるのが好ましい。また、ゴムチップ(61)(63)(65)は架橋状態(加硫状態)にされているが、それらの架橋度(加硫度)は比較的低くされるのが好ましい。
【００３８】
複数のゴムチップ(61)(63)(65)が下側金型(73)に散布された後、散布されたゴムチップ(61)(63)(65)を覆って隠すように、厚板状にされたゴム材料(75)がゴムチップ(61)(63)(65)の上に置かれる。ゴム材料(75)は、生ゴム状態であり、硫黄などの加硫剤と、酸化亜鉛などの加硫助剤とが含まれている。
【００３９】
ゴム材料(75)が置かれた後、上側金型(71)が下側金型(73)に向けて下降して、これら金型(71)(73)によってゴム材料(75)及びゴムチップ(61)(63)(65)がプレス成形される。金型(71)(73)は、適当な温度に、例えば５０℃〜２５０℃に昇温される。所定の時間、プレス状態及び加熱状態が維持されて、第１歩行誘導用ゴムマット(1)の形状にされたゴム材料(75)が加硫状態になると、上側金型(71)が上昇して、完成した第１歩行誘導用ゴムマット(1)が取り出される。
【００４０】
ゴムチップ(61)(63)(65)として、ゴム板を破砕することで作製された略矩形の小さな片が使用されることで、ゴムチップ(61)(63)(65)は、それらの平坦な１つの面が、第１歩行誘導用ゴムマット(1)の本体部分(13)の平坦面(11)に対応した下側金型(73)の平面部分と当接する状態で、当該平面部分に置かれることになる。その結果、当該平面部分と当接したゴムチップ(61)(63)(65)の面が、第１歩行誘導用ゴムマット(1)の本体部分(13)の平坦面(11)を部分的に構成し、当該平坦面(11)にて外部に露出することになる。
【００４１】
第１歩行誘導用ゴムマット(1)の本体部分(13)の平坦面(11)に対応した下側金型(73)の平面部分のみに、第１歩行誘導用ゴムマット(1)に埋設される複数のゴムチップ(61)(63)(65)が散布されるのが好ましい。第１歩行誘導用ゴムマット(1)の傾斜部分(15)(17)にもゴムチップ(61)(63)(65)を埋設しようとすると、傾斜部分(15)(17)の傾斜面に対応した下側金型(73)の傾斜面にもゴムチップ(61)(63)(65)が置かれて、ゴム材料(75)に覆われることになる。しかしながら、架橋状態のゴムチップ(61)(63)(65)が使用されているので、プレス成形時に、傾斜部分(15)(17)の厚みがゴムチップ(61)(63)(65)の大きさよりも非常に小さい場所にゴムチップ(61)(63)(65)が配置されて圧縮された場合、完成された第１歩行誘導用ゴムマット(1)において、このようなゴムチップ(61)(63)(65)とそれらの周囲のゴム材料との接着が弱くなる恐れがある。ゴムチップ(61)(63)(65)とそれらの周囲のゴム材料との接着が弱くなると、ゴムチップ(61)(63)(65)が第１歩行誘導用ゴムマット(1)の傾斜部分(15)(17)から突出する事態や、傾斜部分(15)(17)から剥がれる事態が起こる。
【００４２】
第１歩行誘導用ゴムマット(1)の製造工程について説明したが、第２歩行誘導用ゴムマット(3)も同様に製造できることは明らかである。
【００４３】
本考案において、第１歩行誘導用ゴムマット(1)と第２歩行誘導用ゴムマット(3)の大きさ又は寸法は特に限定されないが、視覚障害者の歩行を誘導する、そして夜間や停電時における歩行又は移動経路を案内するという目的を達成できる大きさ又は寸法にされる。例えば、第１歩行誘導用ゴムマット(1)と第２歩行誘導用ゴムマット(3)の長さは、共に６００ｍｍ程度にされ、幅は４４０ｍｍ程度にされる。第１歩行誘導用ゴムマット(1)の本体部分(13)の平坦面(11)と第２歩行誘導用ゴムマット(3)の本体部分(33)の平坦面(31)の幅は、２５０ｍｍ程度にされる。
【００４４】
例示した第１歩行誘導用ゴムマット(1)と第２歩行誘導用ゴムマット(3)以外の歩行誘導用ゴムマットが、これら歩行誘導用ゴムマット(1)(3)と併用されてもよい。第１歩行誘導用ゴムマット(1)を短くした第３の歩行誘導用ゴムマットが(例えば、長さが３２０ｍｍ程度にされる)、第１歩行誘導用ゴムマット(1)と第２歩行誘導用ゴムマット(3)と併せて使用されてもよい。また、第２歩行誘導用ゴムマット(3)の長さを短くした第４の歩行誘導用ゴムマットが(例えば、長さが１６０ｍｍ程度にされる)、第２歩行誘導用ゴムマット(3)に代えて、又は、第２歩行誘導用ゴムマット(3)と共に使用されてもよい。このような第４の歩行誘導用ゴムマットは、敷設されたゴムマット列の端に配置され、且つ短いことから、上述したようなゴムチップ(61)(63)(65)を有していなくともよい。
【００４５】
添付の図面は、あくまで本考案の説明を目的としたものであって、図示の関係上、実際に実施される第１歩行誘導用ゴムマット(1)と第２歩行誘導用ゴムマット(3)の構造又は意匠を正確には反映していない点に留意すべきである。例えば、ゴムチップ(61)(63)(65)の大きさが約２〜１０ｍｍ程度であって、第１歩行誘導用ゴムマット(1)が上述した寸法を有する場合、長さが略６００ｍｍ、幅が略２５０ｍｍである本体部分(13)には、約１０〜３０個の第１ゴムチップ(61)と、約３０〜９０個の第２ゴムチップ(63)(65)とが平坦面(11)にて露出するように散点して埋設される。
【００４６】
上記実施例の説明は、本考案を説明するためのものであって、実用新案登録請求の範囲に記載の考案を限定し、或いは範囲を減縮する様に解すべきではない。また、本考案の各部構成は上記実施例に限らず、実用新案登録請求の範囲に記載の技術的範囲内で種々の変形が可能であることは勿論である。
【符号の説明】
【００４７】
(1)  第１歩行誘導用ゴムマット
(11) 平坦面
(13) 本体部分
(15) 傾斜部分
(17) 傾斜部分
(3)  第２歩行誘導用ゴムマット
(31) 平坦面
(33) 本体部分
(35) 傾斜部分
(37) 傾斜部分
(39) 傾斜部分
(5)  連結手段
(61) 第１ゴムチップ
(63) 第２ゴムチップ
(65) 第２ゴムチップ
【図１】
0003182832.tif 000003
【図２】
0003182832.tif 000004
【図３】
0003182832.tif 000005
【図４】
0003182832.tif 000006
【図５】
0003182832.tif 000007